(57)【要約】      （修正有）【課題】ワックスカートリッジを効率よく加熱するのに適したワックスウォーマを提供する。【解決手段】ワックスウォーマ１は、長矩形状の開口１１１が上端に形成されたハウジング１１と、ハウジングの内部に配置され、開口における一対の長辺１１１ａそれぞれに対応して上下に延びるとともに、開口の短辺１１１ｂが延びる方向ｙにおいて互いに離間する一対の縦板部１２１，１２２および一対の縦板部の下端どうしをつなぐ横板部１２３を有する加熱プレート１２と、を備え、一対の縦板部は、平面視において開口の内側に位置し、一対の縦板部のうち少なくとも一方は、方向ｙへ弾性的に変位可能である。【選択図】図５
0003210361.tif 000002
【実用新案登録請求の範囲】
【請求項１】
長矩形状の開口が上端に形成されたハウジングと、
上記ハウジングの内部に配置され、上記開口における一対の長辺それぞれに対応して上下に延びるとともに、上記開口の短辺が延びる方向である第１方向において互いに離間する一対の縦板部および上記一対の縦板部の下端どうしをつなぐ横板部を有する加熱プレートと、を備え、
上記一対の縦板部は、平面視において上記開口の内側に位置し、
上記一対の縦板部のうち少なくとも一方は、上記第１方向へ弾性的に変位可能である、ワックスウォーマ。
【請求項２】
上記加熱プレートは、上記一対の縦板部の少なくとも一方の上端につながるガイド部を有し、
上記ガイド部は、上方に向かうにつれて、上記第１方向における外側に変位するように傾斜する、請求項１に記載のワックスウォーマ。
【請求項３】
請求項１または２に記載のワックスウォーマと、ワックスを収容するワックスカートリッジのセットであって、
上記ワックスカートリッジは、ワックスが充填される容器本体と、容器本体の上部に装着され、ローラを含んで構成された塗布ユニットと、を備え、
上記容器本体の横断面形状が上記開口に対応する長矩形状とされるとともに、上記加熱プレートにおける上記一対の縦板部および上記横板部で囲まれた収容空間に上記容器本体を収容可能であり、
上記容器本体が上記収容空間に収容されるとき、上記容器本体のうち上記第１方向を向く一対の外側面は、上記一対の縦板部をそれぞれ押圧しつつ当該縦板部に密着する、ワックスウォーマとワックスカートリッジのセット。
【請求項４】
上記塗布ユニットは、上記ローラの真下近傍に設けられた仕切板を有し、
上記仕切板の中央には、上記容器本体の内周の横断面積よりも小である開口面積のワックス通過孔が形成されている、請求項３に記載のワックスウォーマとワックスカートリッジのセット。
【考案の詳細な説明】
【技術分野】
【０００１】
本考案は、ワックスが収容されたワックスカートリッジを加熱するためのワックスウォーマに関する。
【背景技術】
【０００２】
脱毛処理用ワックス（以下、単に「ワックス」と言う。）は、たとえば美容目的に使用されている。一般にワックスは固形状態でユーザに供給され、これを一定の温度まで加熱して溶融状態になったところでユーザの皮膚の対象部位に塗布する。一定時間経過後、ワックスが固化した状態で当該ワックスを皮膚から剥がすと、体毛がワックスに絡んで同時に皮膚から剥がれ、脱毛処理される。
【０００３】
ワックスを用いた脱毛処理は、医療行為に該当せず、また個人で利用できることから、個人ユーザ向けへの普及が見込まれる。近年、ワックスをローラが付属したカートリッジ式の容器（以下、「ワックスカートリッジ」と言う。）に収容し、このワックスカートリッジをワックスウォーマで加熱して使用する手法が知られている（たとえば特許文献１を参照）。
【０００４】
特許文献１に記載されたワックスウォーマ（１０）は、加熱スペース（１６）にワックスカートリッジ（１）を収容して当該カートリッジを加熱するように構成されている。特許文献１において、ワックスウォーマは回動可能な蓋部（１２）を具備しており、当該蓋部の操作により、加熱スペースが閉じた状態と開いた状態と切り替えることができる。また、加熱スペースの奥側には加熱プレート（１７）が設けられており、加熱スペース（１６）は、蓋部（１２）が閉じた状態で周囲を囲まれ、加熱スペース（１６）の奥側に位置する加熱プレート（１７）により内部が加熱される。加熱プレート（１７）には加熱源による熱エネルギが伝達され、ワックスカートリッジ（１）の一側面が加熱プレート（１７）に密着するとともに加熱スペース（１６）全体の温度も上昇することにより、ワックスカートリッジ（内部のワックス）を加熱することができる。ワックスカートリッジが十分に加熱されて内部のワックスが溶融状態になれば、ワックスカートリッジをワックスウォーマ（加熱スペース）から取り出し、対象部位に塗布することができる。
【０００５】
ワックスカートリッジの容器本体（２）は、たとえば合成樹脂製であり、必ずしも熱伝達率が良好ではない。このことは、ワックスカートリッジ内のワックスが十分加熱されて溶融した後においては、保温性を高めることに寄与しワックスの温度低下を抑制する効果が期待できる。その一方、ワックスカートリッジを加熱する際、加熱プレートと直接密着する一側面においては比較的効率よく熱エネルギ伝わるものの、加熱源から加熱プレートを介して伝わった熱エネルギの多くは加熱スペース自体（空気）の温度上昇や加熱スペースに隣接する部位の温度上昇に費やされる。その結果、ワックスカートリッジ内のワックスが所望の温度に到達するまで長い時間が必要となっていた。
【先行技術文献】
【特許文献】
【０００６】
【特許文献１】特開２００９−６１０７８号公報
【考案の概要】
【考案が解決しようとする課題】
【０００７】
本考案は、このような事情のもとで考え出されたものであって、ワックスカートリッジを効率よく加熱するのに適したワックスウォーマを提供することを主たる課題とする。
【課題を解決するための手段】
【０００８】
上記の課題を解決するため、本考案では、次の技術的手段を講じている。
【０００９】
本考案の第１の側面によって提供されるワックスウォーマは、長矩形状の開口が上端に形成されたハウジングと、上記ハウジングの内部に配置され、上記開口における一対の長辺それぞれに対応して上下に延びるとともに、上記開口の短辺が延びる方向である第１方向において互いに離間する一対の縦板部および上記一対の縦板部の下端どうしをつなぐ横板部を有する加熱プレートと、を備え、上記一対の縦板部は、平面視において上記開口の内側に位置し、上記一対の縦板部のうち少なくとも一方は、上記第１方向へ弾性的に変位可能である。
【００１０】
好ましい実施の形態においては、上記加熱プレートは、上記一対の縦板部の少なくとも一方の上端につながるガイド部を有し、上記ガイド部は、上方に向かうにつれて、上記第１方向における外側に変位するように傾斜する。
【００１１】
本考案の第２の側面によって提供されるワックスウォーマとワックスカートリッジのセットは、本考案の第１の側面に係るワックスウォーマと、ワックスを収容するワックスカートリッジのセットであって、上記ワックスカートリッジは、ワックスが充填される容器本体と、容器本体の上部に装着され、ローラを含んで構成された塗布ユニットと、を備え、上記容器本体の横断面形状が上記開口に対応する長矩形状とされるとともに、上記加熱プレートにおける上記一対の縦板部および上記横板部で囲まれた収容空間に上記容器本体を収容可能であり、上記容器本体が上記収容空間に収容されるとき、上記容器本体のうち上記第１方向を向く一対の外側面は、上記一対の縦板部をそれぞれ押圧しつつ当該縦板部に密着する。
【００１２】
好ましい実施の形態においては、上記塗布ユニットは、上記ローラの真下近傍に設けられた仕切板を有し、上記仕切板の中央には、上記容器本体の内周の横断面積よりも小である開口面積のワックス通過孔が形成されている。
【００１３】
好ましい実施の形態においては、上記ローラの材質はＡＢＳ樹脂である。
【００１４】
本考案のその他の特徴および利点は、添付図面を参照して以下に行う詳細な説明によって、より明らかとなろう。
【図面の簡単な説明】
【００１５】
【図１】本考案に係るワックスウォーマの一例を示す斜視図である。
【図２】本考案に係るワックスウォーマとワックスカートリッジのセットの一例を示す分解斜視図である。
【図３】本考案に係るワックスウォーマとワックスカートリッジのセットの一例を示す斜視図である。
【図４】図１に示すワックスウォーマの平面図である。
【図５】図４のＶ−Ｖ線に沿う断面図である。
【図６】図５のＶＩ−ＶＩ線に沿う断面図である。
【図７】ワックスウォーマにワックスカートリッジを装着した状態を示す図５と同様の断面図である。
【図８】図７のＶＩＩＩ−ＶＩＩＩ線に沿う部分断面図である。
【図９】（ａ）はワックスウォーマの部分拡大断面図であり、（ｂ）はワックスカートリッジの部分拡大断面図である。
【考案を実施するための形態】
【００１６】
以下、本考案の好ましい実施の形態について、図面を参照して具体的に説明する。
【００１７】
図１は、本考案に係るワックスウォーマの一例を示す。図２、図３は、本考案に係るワックスウォーマとワックスカートリッジのセットの一例を示す。本実施形態のセットＡ１は、ワックスウォーマ１とワックスカートリッジ２とにより構成されている。
【００１８】
ワックスウォーマ１は、ワックスカートリッジ２を装着して当該ワックスカートリッジ２を加熱するためのものであり、ハウジング１１、加熱プレート１２、加熱源１３、およびキャップ１４を備えている。
【００１９】
ハウジング１１は、上下方向（以下、適宜「方向ｚ」と言う。）に延びる長状であるとともに、上端に開口１１１が形成された容器状とされている。ハウジング１１の内部には、加熱プレート１２、加熱源１３およびその他の構成部品が収容されている。開口１１１は、平面視において長矩形状とされており、一対の長辺１１１ａおよび一対の短辺１１１ｂにより囲まれて規定されている。ハウジング１１は、たとえば合成樹脂からなり、２つ割りの樹脂成型部材を接合したものである。ハウジング１１の側面には、たとえば透明樹脂からなる窓部１１２が設けられている。
【００２０】
図１に示したキャップ１４は、ハウジング１１の上部に取り付けることで当該上部（開口１１１を含む）を覆うものである。なお、図２以降の図面においては、キャップ１４を省略している。
【００２１】
図５〜図７等に示すように、加熱プレート１２は、ワックスカートリッジ２に接触して当該ワックスカートリッジ２を加熱するための部材であり、一対の縦板部１２１，１２２、横板部１２３、一対のガイド部１２４，１２５、および一対の係止部１２６，１２７を有する。一対の縦板部１２１，１２２は、ハウジング１１の開口１１１における一対の長辺１１１ａ，１１１ａそれぞれに対応して上下に延びるとともに、開口１１１の短辺１１１ｂが延びる方向（以下、適宜「方向ｙ」と言う。）において互いに離間している。また、図４、図５から理解されるように、一対の縦板部１２１，１２２は、平面視（方向ｚ視）において開口１１１の内側に位置する。横板部１２３は、一対の縦板部１２１，１２２の下端どうしをつないでおり、略水平に延びている。
【００２２】
本実施形態において、一対の縦板部１２１，１２２は、上方に向かうにつれて方向ｙにおける外側へ変位するように僅かに傾斜している。ガイド部１２４，１２５は、一対の縦板部１２１，１２２それぞれの上端につながっており、上方に向かうにつれて方向ｙにおける外側に変位するように傾斜している。図５から理解されるように、ガイド部１２４，１２５の上端は、平面視（方向ｚ視）において開口１１１の外側に位置している。
【００２３】
本実施形態において、係止部１２６，１２７は、ガイド部１２４，１２５それぞれの上端につながっており、方向ｙにおける外側に略水平に延びている。係止部１２６，１２７は、ハウジングの上部壁内面から下方に延びる延出部１１３，１１４にそれぞれ係止されている。
【００２４】
上記構成の加熱プレート１２は、たとえばアルミニウムなどの熱伝導性が良好な金属プレートにより構成されており、当該金属プレートに適宜、折り曲げ加工や打ち抜き加工等を施すことによって形成される。加熱プレート１２は、自然状態において図５に示した断面形状とされており、一対の縦板部１２１，１２２、横板部１２３、一対のガイド部１２４，１２５、および一対の係止部１２６，１２７が一連につながっている。このような構成によって、一対の縦板部１２１，１２２は、方向ｙ（たとえば図５の上方寄りに示した方向ｙ外側を向く矢印）へ弾性的に変位可能である。
【００２５】
また、加熱プレート１２において一対の縦板部１２１，１２２および横板部１２３で囲まれた領域は、後述のワックスカートリッジ２における容器本体２１を収容するための空間（収容空間Ｓ）とされている。
【００２６】
加熱源１３は、加熱プレート１２に熱エネルギを供給するためのものである。加熱源１３は、たとえば所定の電気抵抗値を有する金属によって構成されており、通電により所定温度に上昇する。図５、図６等に示すように、本実施形態において、加熱源１３は、略直方体形状のブロック体とされており、一方の縦板部１２１の外側面に密着する状態で当該縦板部１２１に取り付けられている。なお、詳細な図示説明は省略するが、ハウジング１１の内部には、必要に応じて加熱源１３への通電を制御する制御部品が収容されることもある。また、ハウジング１１には、加熱源１３に電力供給するためのソケット（図示せず）が設けられており、当該ソケットに接続される電源コード（図示せず）を介して家庭用電源のコンセントから電力供給を受けることが可能となっている。
【００２７】
図２、図７、図８等に示すように、ワックスカートリッジ２は、ワックスが充填される容器本体２１と、当該容器本体２１の上部に装着された塗布ユニット２２とを備える。容器本体２１は、上端に開口２１１を有しており、有底の概略四角筒状とされている。容器本体２１は、たとえば合成樹脂製である。なお、添付図面では記載を省略するが、容器本体２１の内部にはワックス（脱毛処理用ワックス）が充填される。ワックスの材料は種々選択可能であるが、当該ワックスは、常温において固化した状態であるとともに所定の温度以上では溶融して流動可能な状態となる。
【００２８】
容器本体２１の横断面形状は、ハウジング１１における開口１１１に対応する長矩形状とされる。本実施形態では、容器本体２１において方向ｙ側を向く一対の側壁（２１２，２１３）は、上方に向かうにつれて方向ｙにおける外側へ変位するように僅かに傾斜している。そして、図７に示すように、容器本体２１は、加熱プレート１２における収容空間Ｓに収容することが可能である。
【００２９】
具体的には、たとえば、図９に示されるように、自然状態において、加熱プレート１２の一対の縦板部１２１，１２２における上端どうしの間隔Ｌ１が、容器本体２１において一対の側壁２１２，２１３における対応する部位の外側面２１２ａ，２１３ａ間の長さＬ２よりも僅かに小さくされている。これにより、容器本体２１が収容空間Ｓに収容されるとき、容器本体２１のうち方向ｙを向く一対の外側面２１２ａ，２１３ａは、一対の縦板部１２１，１２２をそれぞれ押圧しつつ当該縦板部１２１，１２２に密着する。
【００３０】
塗布ユニット２２は、ケース体２２１、およびこのケース体２２１に支持されたローラ２２２を含んで構成される。ケース体２２１は、たとえばその下部に形成された溝部に容器本体２１の上部を圧入することによって当該容器本体２１に取り付けられる。ケース体２２１には開口２２１ａが形成されており、当該開口２２１ａは容器本体２１の開口２１１に通じている。
【００３１】
ローラ２２２は、ケース体２２１に回転可能に支持されている。より具体的には、図７等から理解されるように、ワックスウォーマ１へのワックスカートリッジ２の装着時において、ローラ２２２は、ハウジング１１の開口１１１における長辺１１１ａが延びる方向（以下、適宜「方向ｘ」と言う。）に沿って長状とされており、当該方向ｘに沿う軸心Ｏｘ回りに回転可能である。
【００３２】
ローラ２２２はケース体２２１における開口２２１ａの大半を塞いでいるが、ローラ２２２の外面とケース体２２１の内面との間に僅かな隙間（たとえば０．２〜０．５ｍｍ程度）がある。容器本体２１のワックスは、溶融状態にあるときにローラ２２２を回転させることにより、上記隙間を通じて容器本体２１外に取り出される。
【００３３】
本実施形態では、ケース体２２１（塗布ユニット２２）において、ローラの真下近傍には仕切板２２３が設けられている。仕切板２２３の中央にはワックス通過孔２２３ａが形成されている。図７、図８から理解されるように、ワックス通過孔２２３ａは、ローラの軸心Ｏｘが延びる方向に長状とされており、その開口面積は容器本体の内周の横断面積よりも小である。
【００３４】
ローラ２２２およびケース体２２１は、たとえば硬質な合成樹脂材料によって形成される。ローラ２２２およびケース体２２１の材質としては、たとえばＡＢＳ樹脂が挙げられる。
【００３５】
次に、本実施形態の作用について説明する。
【００３６】
本実施形態のワックスウォーマ１において、ハウジング１１の内部に配置された加熱プレート１２は、一対の縦板部１２１，１２２と、これら一対の縦板部１２１，１２２の下端どうしをつなぐ横板部１２３とを有する。ハウジング１１の上端には長矩形状の開口１１１が形成されており、一対の縦板部１２１，１２２は、開口１１１における一対の長辺１１１ａそれぞれに対応して上下に延びるとともに、開口１１１の短辺１１１ｂが延びる方向ｙにおいて互いに離間する。また、一対の縦板部１２１，１２２は、平面視（方向ｚ視）において開口１１１の内側に位置するとともに、方向ｙへ弾性的に変位可能である。
【００３７】
このような構成によれば、ワックスウォーマ１にワックスカートリッジ２を装着するとき、ワックスカートリッジ２の容器本体２１を、加熱プレート１２における一対の縦板部１２１，１２２および横板部１２３で囲まれた収容空間Ｓに収容可能である。容器本体２１の横断面形状を開口１１１に対応する長矩形状とすることで、容器本体２１が収容空間Ｓに収容されるとき、容器本体のうち方向ｙを向く一対の外側面２１２ａ，２１３ａについては、一対の縦板部１２１，１２２に対して広い範囲を面接触させることができる。したがって、本実施形態によれば、通電時における加熱源１３からの熱エネルギは、加熱プレート１２（一対の縦板部１２１，１２２）を介して容器本体２１に効率よく伝達され、容器本体２１内部のワックスを比較的短時間で所定温度以上の溶融状態にすることができる。その結果、対象部位へのワックス塗布作業を短時間で開始することができる。
【００３８】
また、図９を参照して説明したように、一対の縦板部１２１，１２２と容器本体２１の一対の外側面２１２ａ，２１３ａとについて所定の寸法関係とすることにより、容器本体２１を収容空間Ｓに収容すると、一対の外側面２１２ａ，２１３ａは一対の縦板部１２１，１２２をそれぞれ押圧しつつ当該縦板部１２１，１２２に密着する。これにより、加熱源１３からの熱エネルギは、加熱プレート１２（一対の縦板部１２１，１２２）を介してより効率よく容器本体２１に伝達される。
【００３９】
本実施形態では、ワックスの溶融後において当該ワックスを対象部位に塗布する作業は、たとえばワックスウォーマ１にワックスカートリッジ２を装着したまま、ハウジング１１を掴んで行う。このとき、ローラ２２２を下方に向けつつ当該ローラ２２２を対象部位に対して擦り付ける。ここで、上記のように、容器本体２１が収容空間Ｓに収容された状態において、容器本体２１の外側面２１２ａ，２１３ａは一対の縦板部１２１，１２２をそれぞれ押圧しつつ当該縦板部１２１，１２２に密着する。また、縦板部１２１，１２２は方向ｙへ弾性的に変位可能である。このため、容器本体２１の外側面２１２ａ，２１３ａにより方向ｙの外側へ押し広げられた一対の縦板部１２１，１２２は、自らの弾性復元力によって容器本体２１の外側面２１２ａ，２１３ａを挟み付ける。したがって、ワックス塗布作業時においては、加熱プレート１２により容器本体２１を適度に保持する力が作用し、ワックスカートリッジ２がワックスウォーマ１から不用意に脱落することは回避される。
【００４０】
縦板部１２１，１２２の上端には、傾斜状のガイド部１２４，１２５がつながっている。このような構成によれば、ワックスウォーマ１にワックスカートリッジ２を装着する際、容器本体２１を収容空間Ｓにスムーズに挿入することができる。
【００４１】
ワックスカートリッジ２のケース体２２１（塗布ユニット２２）において、ローラ２２２の真下近傍には仕切板２２３が設けられており、仕切板２２３の中央にはワックス通過孔２２３ａが形成されている。このような構成によれば、ワックス塗布作業時において、容器本体２１内において溶融したワックスについては、ローラ２２２へ向かう途中で仕切板２２３に設けられたワックス通過孔２２３ａを通過することで、ローラ２２２からワックスが過度に排出されることは防止される。また、ワックスカートリッジ２は、本来、ローラ２２２が上部に位置する縦置きで保管されるものであるが、たとえば夏場の高温時に横置きされると容器本体２１内のワックスが多少流動性をもち、重力の影響でワックスがローラ２２２側へ向かう。このような場合であっても、ワックス通過孔２２３ａを有する仕切板２２３を具備する構成によれば、仕切板２２３によってローラ２２２側へのワックスの流動が妨げられる。その結果、ワックスが不用意に漏れ出すことは抑制される。
【００４２】
以上、本考案の具体的な実施形態を説明したが、本考案はこれに限定されるものではなく、考案の思想から逸脱しない範囲内で種々な変更が可能である。本考案に係るワックスウォーマおよびこれに装着して使用するワックスカートリッジの各部の具体的な構成は、種々に設計変更自在である。
【００４３】
上記実施形態のワックスウォーマ１においては、加熱源１３で発生した熱が当該加熱源１３が取り付けられる加熱プレート１２に伝達されるように構成したが、本考案はこれに限定されない。たとえば加熱プレートと別途の加熱源を設けることなく、加熱プレート自体に通電することにより、当該加熱プレートを発熱させて加熱源として機能させてもよい。
【符号の説明】
【００４４】
Ａ１        セット（ワックスウォーマとワックスカートリッジのセット）
Ｌ１        間隔
Ｌ２        長さ
Ｏｘ        軸心
Ｓ          収容空間
ｘ          方向
ｙ          方向（第１方向）
ｚ          方向
１          ワックスウォーマ
１１        ハウジング
１１１      開口
１１１ａ    長辺
１１１ｂ    短辺
１１２      窓部
１１３      延出部
１１４      延出部
１２        加熱プレート
１２１      縦板部
１２２      縦板部
１２３      横板部
１２４      ガイド部
１２５      ガイド部
１２６      係止部
１２７      係止部
１３        加熱源
１４        キャップ
２          ワックスカートリッジ
２１        容器本体
２１１      開口
２１２      側壁
２１２ａ    外側面
２１３      側壁
２１３ａ    外側面
２２        塗布ユニット
２２１      ケース体
２２１ａ    開口
２２２      ローラ
２２３      仕切板
２２３ａ    ワックス通過孔
【図１】
0003210361.tif 000003
【図２】
0003210361.tif 000004
【図３】
0003210361.tif 000005
【図４】
0003210361.tif 000006
【図５】
0003210361.tif 000007
【図６】
0003210361.tif 000008
【図７】
0003210361.tif 000009
【図８】
0003210361.tif 000010
【図９】
0003210361.tif 000011